(57)【要約】【課題】  メインボードのＰＣＩスロットを有効に利用することができ、且つＳＯ−ＤＩＭＭ仕様に応じたサーバ管理アドオンカードを小型化することができる演算装置を提供する。【解決手段】  本発明の演算装置は、一つ以上の電子部品が実装されたメインボードと、前記メインボードに実装され、前記電子部品と連結した第１のコンタクト群を備えているＳＯ−ＤＩＭＭ（small outline dual in-line memory module）スロットと、前記電子部品を監視できるよう前記ＳＯ−ＤＩＭＭスロットに挿脱可能に差込まれ、前記第１のコンタクト群に電気的に接続される第２のコンタクト群を備えたハードウェア管理アドオンカードとから構成されている。【選択図】  図１
2005202867.tif 000002
【特許請求の範囲】
【請求項１】
一つ以上の電子部品が実装されたメインボードと、
前記メインボードに実装され、前記電子部品と接続された第１のコンタクト群を備えたＳＯ−ＤＩＭＭ（small outline dual in-line memory module）スロットと、
前記電子部品を監視できるよう、前記ＳＯ−ＤＩＭＭスロットに挿脱可能に差込まれ、前記第１のコンタクト群に電気的に接続される第２のコンタクト群を備えたハードウェア管理アドオンカードと、
から構成されてなる演算装置。
【請求項２】
前記ハードウェア管理アドオンカードには、ＳＯ−ＤＩＭＭ仕様に応じたピン構成を備えたことを特徴とする請求項１に記載の演算装置。
【請求項３】
前記ハードウェア管理アドオンカードは、さらに前記電子部品を制御できるよう構成されていることを特徴とする請求項１に記載の演算装置。
【請求項４】
前記メインボードは、サーバメインボードであり、前記ハードウェア管理アドオンカードは、ＩＰＭＩ（Intelligent Peripheral Management Interface）仕様を満たすサーバ管理アドオンカードであることを特徴とする請求項１に記載の演算装置。
【発明の詳細な説明】
【技術分野】
【０００１】
本発明は、例えばサーバなどのデータ処理の演算装置に関し、より詳しくは、ハードウェア管理アドオンカードを備えた演算装置に関するものである。
【背景技術】
【０００２】
従来のサーバとしては、サーバメインボード、メインボードに実装された複数のＰＣＩ（ペリフェラル・コンポーネント・インターフェースコネクト、拡張バスの規格）スロット、及びサーバ管理アドオンカードとしていずれかのＰＣＩスロットに着脱可能に搭載されるＩＰＭＩ（インテリジェント・プラットフォーム・マネジメント・インターフェース）互換サーバ管理アドオンカードなどにより構成されている演算装置が知られている。
【０００３】
前述したメインボードには、例えばＣＰＵなどの電子部品や、サウスブリッジチップセット群、ノースブリッジチップセット群、ネットワークカード、センサ、Ｉ／Ｏコントローラ、ファンが装着されている。ＰＣＩスロットにはＰＣＩバス経由で電子部品と電気的に接続された第１のコンタクト群が設けられている。
【０００４】
ＩＰＭＩ互換サーバ管理アドオンカードは、第１のコンタクト群と接続される第２のコンタクト群が設けられ、サーバメインボードにある電子部品を遠隔操作で制御できるようになっている。第２コンタクト群はＰＣＩの標準仕様に合せたピン構成に構築されている。
【発明の開示】
【発明が解決しようとする課題】
【０００５】
従来のサーバにおいて、ＩＰＭＩ互換サーバ管理アドオンカードは、標準ＰＣＩアドオンカードとして構成されており、サーバのメインボードにおいてＰＣＩスロットをまるごと占有し、またメインボードの他のＰＣＩ規格の周辺素子と接続するためのスペースをとるなど、機器の小型化に不適である。
【０００６】
本発明は、このような問題点に鑑みてなされたものであり、非ＰＣＩ(Peripheral Component Interface)規格のハードウェア管理アドオンカードを備えた演算装置を提供することを目的とする。
【課題を解決するための手段】
【０００７】
上記課題を解決し、目的を達成するため、本発明に係る演算装置は、電子部品が実装されたメインボードと、前記メインボードに実装され前記電子部品と接続されている第１のコンタクト群を備えているＳＯ−ＤＩＭＭ（small outline dual in-line memory module ）スロットと、前記電子部品を監視・制御できるよう前記ＳＯ−ＤＩＭＭスロットに挿脱可能に差込み、前記第１のコンタクト群と電気的に接続できる第２のコンタクト群を備えたハードウェア管理アドオンカードから構成されてなることを特徴とする。
【発明の効果】
【０００８】
上記の構成によれば、メインボードのＰＣＩスロットを有効に利用することができ、且つＳＯ−ＤＩＭＭ仕様に応じたサーバ管理アドオンカードを小型化することができる。
【発明を実施するための最良の形態】
【０００９】
以下、添付図面を参照して、本発明の実施例を詳細に説明する。
【００１０】
図１には、本発明の実施例に係る演算装置の構成が示されている。本発明の演算装置は、サーバコンピュータとして使用されるものであり、図示のように、サーバメインボード１、ＳＯ−ＤＩＭＭ（Ｓmall Ｏutline Ｄual Ｉn-line Ｍemory Ｍodule）スロット２、及びハードウェア管理アドオンカード３などから構成されている。
【００１１】
サーバメインボード１には、多数の電子部品が実装されており、ＣＰＵ（Ｃentral Ｐrocessing Ｕnit）１１、サウスブリッジチップセット群１２、ノースブリッジチップセット群１３、ネットワークカード１４、センサ１５、入出力（Ｉ／Ｏ）コントローラ１７、及びファン１６などを備えている。また、メインボード１上に複数の例えば２個のＰＣＩ（Peripheral Component Interface）スロット１８、１８も搭載されている。
【００１２】
ＳＯ−ＤＩＭＭスロット２は、サーバメインボード１に取付けられ、Ｉ２Ｃバス１０経由で前述した電子部品に接続されている第１のコンタクト群（図示せず）を有している。なお、該ＳＯ−ＤＩＭＭスロット２はサーバメインボード１の特定の物理的場所に配置されている必要はなく、例えば他の電子部品の取付けに合致させてサーバメインボード１に配置すればよい。
【００１３】
ハードウェア管理アドオンカード３は、ＩＰＭＩ（Intelligent Peripheral Management Interface）仕様を満たしたサーバ管理アドオンカードであり、ＳＯ−ＤＩＭＭスロット２に挿脱自在に差込むことができる。該カード３は、第１のコンタクト群に接続可能な第２のコンタクト群３４を備えると共に、ベースボード管理コントローラ（ＢＭＣ）３１、該ＢＭＣ３１に電気的に接続されるメモリ３２、及びハードウェア管理アドオンカード３が外部の周辺デバース（図示せず）に接続されるために設けられＢＭＣ３１に電気的に接続される２つのシリアルポート３３、３３が装備されている。本発明においては、ハードウェア管理アドオンカード３はＳＯ−ＤＩＭＭの仕様に応じて造られているので、ハードウェア管理アドオンカード３の第２の端子群３４にはＳＯ−ＤＩＭＭの仕様に従う１４４ピンの構成を備えている。このようにして、本発明によるハードウェア管理アドオンカード３のサイズが縮減して小型化することができると共に、サーバメインボード１のＰＣＩスロット１８の総てが使われることなく余った分は予備のスロットとして利用することができる。
【産業上の利用可能性】
【００１４】
本発明の演算装置によれば、メインボードのＰＣＩスロットを有効に利用することができ、且つＳＯ−ＤＩＭＭ仕様に応じたサーバ管理アドオンカードを従来のＰＣＩ仕様のカードよりも小型化にすることができる。
【図面の簡単な説明】
【００１５】
【図１】本発明の実施例に係る演算装置の構成を示すブロック図。
【符号の説明】
【００１６】
１  サーバメインボード
２  ＳＯ−ＤＩＭＭスロット
３  ハードウェア管理アドオンカード
１０  Ｉ２Ｃバス
１１  ＣＰＵ
１２  サウスブリッジチップセット群
１３  ノースブリッジチップセット群
１４  ネットワークカード
１５  センサ
１６  ファン
１７  入出力（Ｉ／Ｏ）コントローラ
１８  ＰＣＩスロット
３１  ベースボード管理コントローラ（ＢＭＣ）
３２  メモリ
３３  シリアルポート
３４  第２のコンタクト群
【図１】
2005202867.tif 000003